(57)【要約】【課題】弦楽器が発する本来の楽音を忠実に再現するピックアップマイクシステム、プリアンプユニット、及び弦楽器を提供する。【解決手段】ピックアップマイクシステムは、弦楽器１０のボディ１２の内部に配設され、ボディ１２の内部で共鳴する楽音を集音する双指向性マイク４２を備え、双指向性マイク４２は、サウンドホール３６が開口する面に対して平行かつサウンドホール３６が形成される方向に対して垂直な方向に沿った指向軸Ｌを有する。これにより、ハウリングを起こすことなく、ボディ１２の内部空間で共鳴する楽音を集音することが可能となり、弦楽器１０が発する本来の楽音を忠実に再現することができる。【選択図】図５
2015215458.tif 000002
【特許請求の範囲】
【請求項１】
中空状に形成されたボディと、前記ボディに形成されたサウンドホールと、前記ボディに一端が取り付けられたネックと、前記ネックの他端に取り付けられたヘッドと、前記ヘッド及び前記ボディの間に張架された弦とを備える弦楽器に用いられるピックアップマイクシステムであって、
前記ボディの内部に配設され、前記ボディの内部で共鳴する楽音を集音する双指向性マイクを備え、
前記双指向性マイクは、前記サウンドホールが開口する面に対して平行かつ前記サウンドホールが形成される方向に対して垂直な方向に沿った指向軸を有するピックアップマイクシステム。
【請求項２】
前記双指向性マイクから出力される信号の周波数特性を平坦化する周波数補正手段を更に備える請求項１に記載のピックアップマイクシステム。
【請求項３】
入力信号に対してノッチ周波数を中心とする周波数成分を減衰させるノッチフィルタと、前記入力信号に含まれるハウリング周波数を検出するハウリング検出手段と、前記ハウリング検出手段で検出されたハウリング周波数を前記ノッチフィルタのノッチ周波数に設定する制御手段とを含むハウリング抑制手段を更に備える請求項１又は２に記載のピックアップマイクシステム。
【請求項４】
中空状に形成されたボディと、前記ボディに形成されたサウンドホールと、前記ボディに一端が取り付けられたネックと、前記ネックの他端に取り付けられたヘッドと、前記ヘッド及び前記ボディの間に張架された弦とを備える弦楽器に用いられるピックアップマイクシステムであって、前記ボディの内部に配設され、前記ボディの内部で共鳴する楽音を集音する双指向性マイクを備え、前記双指向性マイクは、前記サウンドホールが開口する面に対して平行かつ前記サウンドホールが形成される方向に対して垂直な方向に沿った指向軸を有するピックアップマイクシステム用のプリアンプユニットであって、
前記双指向性マイクから出力される信号の周波数特性を平坦化する周波数補正手段を備えるプリアンプユニット。
【請求項５】
中空状に形成されたボディと、前記ボディに形成されたサウンドホールと、前記ボディに一端が取り付けられたネックと、前記ネックの他端に取り付けられたヘッドと、前記ヘッド及び前記ボディの間に張架された弦とを備える弦楽器に用いられるピックアップマイクシステムであって、前記ボディの内部に配設され、前記ボディの内部で共鳴する楽音を集音する双指向性マイクを備え、前記双指向性マイクは、前記サウンドホールが開口する面に対して平行かつ前記サウンドホールが形成される方向に対して垂直な方向に沿った指向軸を有するピックアップマイクシステム用のプリアンプユニットであって、
入力信号に対してノッチ周波数を中心とする周波数成分を減衰させるノッチフィルタと、前記入力信号に含まれるハウリング周波数を検出するハウリング検出手段と、前記ハウリング検出手段で検出されたハウリング周波数を前記ノッチフィルタのノッチ周波数に設定する制御手段とを含むハウリング抑制手段を備えるプリアンプユニット。
【請求項６】
中空状に形成されたボディと、前記ボディに形成されたサウンドホールと、前記ボディに一端が取り付けられたネックと、前記ネックの他端に取り付けられたヘッドと、前記ヘッド及び前記ボディの間に張架された弦とを備える弦楽器に用いられるピックアップマイクシステムであって、前記ボディの内部に配設され、前記ボディの内部で共鳴する楽音を集音する双指向性マイクを備え、前記双指向性マイクは、前記サウンドホールが開口する面に対して平行かつ前記サウンドホールが形成される方向に対して垂直な方向に沿った指向軸を有するピックアップマイクシステム用のプリアンプユニットであって、
前記双指向性マイクから出力される信号の周波数特性を平坦化する周波数補正手段と、
入力信号に対してノッチ周波数を中心とする周波数成分を減衰させるノッチフィルタと、前記入力信号に含まれるハウリング周波数を検出するハウリング検出手段と、前記ハウリング検出手段で検出されたハウリング周波数を前記ノッチフィルタのノッチ周波数に設定する制御手段とを含むハウリング抑制手段と、
を備えるプリアンプユニット。
【請求項７】
中空状に形成されたボディと、前記ボディに形成されたサウンドホールと、前記ボディに一端が取り付けられたネックと、前記ネックの他端に取り付けられたヘッドと、前記ヘッド及び前記ボディの間に張架された弦とを備える弦楽器と、
請求項１〜３のいずれか１項に記載のピックアップマイクシステムと、
を備えた弦楽器。
【発明の詳細な説明】
【技術分野】
【０００１】
本発明は、弦楽器が発する本来の楽音を忠実に再現することができるピックアップマイクシステム、プリアンプユニット、及び弦楽器に関するものである。
【背景技術】
【０００２】
一般に、ウクレレやアコースティックギターなどの弦楽器は、弦の振動を元にして、駒を通して、共鳴板である表板に振動を伝え、さらにサウンドホールを有する共鳴胴で共鳴させ豊かな音色を発している。そのため、弦や表板をはじめとする楽器を構成する材質、共鳴胴の形状や構造の違いで個々の楽器ごとにそれぞれ違った音色を奏でる。ところが、電気的な増幅装置を持たないこれらの楽器の音量は十分とは言えず、コンサートホールなどの広い会場でライブ演奏をする場合には、マイクを用いて集音して増幅することで、音量を大きくすることが行われている。しかし、マイクで弦楽器の楽音を集音すると、他の楽器の音を拾ってしまったり、ハウリングをしてしまったりすることがある。また、マイクの位置がステージ上に固定されていると、演奏者がステージ上で動き回りながら演奏する場合には弦楽器の楽音をとらえることができないこともある。
【０００３】
一方、弦楽器の胴（共鳴胴）を構成する共鳴板にピエゾピックアップ（圧電ピックアップ）を取り付け、ピエゾピックアップにより弦振動を電気信号に変換し、この電気信号を増幅することで音量を大きくする方法が知られている。しかし、ピエゾピックアップを用いた方法では、箱鳴りと呼ばれる胴による共鳴音を十分に拾うことができず、出力される音は薄っぺらで無機質な音になってしまうという問題がある。
【０００４】
かかる問題に対し、弦楽器の胴による共鳴音を再現できるようにすべく、ピエゾピックアップを用いて得られる電気信号に対して各種効果を付加する技術が提案されている（例えば、特許文献１〜３参照）。
【先行技術文献】
【特許文献】
【０００５】
【特許文献１】特開２００３−１５６４４号公報
【特許文献２】特開２００５−２４９９７号公報
【特許文献３】特開２００９−１６２９９７号公報
【発明の概要】
【発明が解決しようとする課題】
【０００６】
しかしながら、特許文献１〜３に開示される技術では、ピエゾピックアップにより検出される弦の振動をある程度自然な音に加工することができるものの、胴の共鳴音を忠実に再現することはできない。また、ピエゾピックアップを用いて弦の振動を検出するためには、弦楽器のもっとも重要な部分に対してピエゾピックアップを取り付けなればならず、楽器本来の音色に悪影響を与えかねない。
【０００７】
本発明は、このような事情に鑑みてなされたもので、弦楽器が発する本来の楽音を忠実に再現することができるピックアップマイクシステム、プリアンプユニット、及び弦楽器を提供することを目的とする。
【課題を解決するための手段】
【０００８】
上記目的を達成するために、本発明の第１態様に係るピックアップマイクシステムは、中空状に形成されたボディと、ボディに形成されたサウンドホールと、ボディに一端が取り付けられたネックと、ネックの他端に取り付けられたヘッドと、ヘッド及びボディの間に張架された弦とを備える弦楽器に用いられるピックアップマイクシステムであって、ボディの内部に配設され、ボディの内部で共鳴する楽音を集音する双指向性マイクを備え、双指向性マイクは、サウンドホールが開口する面に対して平行かつサウンドホールが形成される方向に対して垂直な方向に沿った指向軸を有する。
【０００９】
本発明の第２態様に係るピックアップシステムは、第１態様において、双指向性マイクから出力される信号の周波数特性を平坦化する周波数補正手段を更に備える。
【００１０】
本発明の第３態様に係るピップアップシステムは、第１態様又は第２態様において、入力信号に対してノッチ周波数を中心とする周波数成分を減衰させるノッチフィルタと、入力信号に含まれるハウリング周波数を検出するハウリング検出手段と、ハウリング検出手段で検出されたハウリング周波数をノッチフィルタのノッチ周波数に設定する制御手段とを含むハウリング抑制手段を更に備える。
【００１１】
本発明の第４態様に係るプリアンプユニットは、中空状に形成されたボディと、ボディに形成されたサウンドホールと、ボディに一端が取り付けられたネックと、ネックの他端に取り付けられたヘッドと、ヘッド及びボディの間に張架された弦とを備える弦楽器に用いられるピックアップマイクシステムであって、ボディの内部に配設され、ボディの内部で共鳴する楽音を集音する双指向性マイクを備え、双指向性マイクは、サウンドホールが開口する面に対して平行かつサウンドホールが形成される方向に対して垂直な方向に沿った指向軸を有するピックアップマイクシステム用のプリアンプユニットであって、双指向性マイクから出力される信号の周波数特性を平坦化する周波数補正手段を備える。
【００１２】
本発明の第５態様に係るプリアンプユニットは、中空状に形成されたボディと、ボディに形成されたサウンドホールと、ボディに一端が取り付けられたネックと、ネックの他端に取り付けられたヘッドと、ヘッド及びボディの間に張架された弦とを備える弦楽器に用いられるピックアップマイクシステムであって、ボディの内部に配設され、ボディの内部で共鳴する楽音を集音する双指向性マイクを備え、双指向性マイクは、サウンドホールが開口する面に対して平行かつサウンドホールが形成される方向に対して垂直な方向に沿った指向軸を有するピックアップマイクシステム用のプリアンプユニットであって、入力信号に対してノッチ周波数を中心とする周波数成分を減衰させるノッチフィルタと、入力信号に含まれるハウリング周波数を検出するハウリング検出手段と、ハウリング検出手段で検出されたハウリング周波数をノッチフィルタのノッチ周波数に設定する制御手段とを含むハウリング抑制手段を備える。
【００１３】
本発明の第６態様に係るプリアンプユニットは、中空状に形成されたボディと、ボディに形成されたサウンドホールと、ボディに一端が取り付けられたネックと、ネックの他端に取り付けられたヘッドと、ヘッド及びボディの間に張架された弦とを備える弦楽器に用いられるピックアップマイクシステムであって、ボディの内部に配設され、ボディの内部で共鳴する楽音を集音する双指向性マイクを備え、双指向性マイクは、サウンドホールが開口する面に対して平行かつサウンドホールが形成される方向に対して垂直な方向に沿った指向軸を有するピックアップマイクシステム用のプリアンプユニットであって、双指向性マイクから出力される信号の周波数特性を平坦化する周波数補正手段と、入力信号に対してノッチ周波数を中心とする周波数成分を減衰させるノッチフィルタと、入力信号に含まれるハウリング周波数を検出するハウリング検出手段と、ハウリング検出手段で検出されたハウリング周波数をノッチフィルタのノッチ周波数に設定する制御手段とを含むハウリング抑制手段と、を備える。
【００１４】
本発明の第７態様に係る弦楽器は、中空状に形成されたボディと、ボディに形成されたサウンドホールと、ボディに一端が取り付けられたネックと、ネックの他端に取り付けられたヘッドと、ヘッド及びボディの間に張架された弦とを備える弦楽器と、第１態様〜第３態様のいずれか１つのピックアップマイクシステムと、を備える。
【発明の効果】
【００１５】
本発明によれば、双指向性マイクの感度が最小となる方向がサウンドホールを向くようになるので、ハウリングを起こすことなく、ボディの内部空間で共鳴する楽音を集音することが可能となり、弦楽器が発する本来の楽音を忠実に再現することができる。
【図面の簡単な説明】
【００１６】
【図１】本発明が適用される弦楽器の構成例を示した外観図
【図２】図１に示した弦楽器の平面図
【図３】マイクユニットの構成を示した斜視図
【図４】図３に示したマイクユニットの分解斜視図
【図５】双指向性マイクの指向特性を示した図
【図６】プリアンプユニットの構成を示すブロック図
【図７】双指向性マイクの出力信号の周波数特性を示した図
【図８】傾斜フィルタの周波数特性を示した図
【図９】ノッチフィルタの周波数特性を示した図
【図１０】弦楽器の他の構成例を示した外観図
【図１１】図１０に示した弦楽器の側面図
【発明を実施するための形態】
【００１７】
以下、添付図面に従って本発明の好ましい実施の形態について詳説する。
【００１８】
図１は、本発明が適用される弦楽器の構成例を示した外観図である。図２は、図１に示した弦楽器の平面図である。
【００１９】
図１及び図２に示すように、弦楽器１０は、例えばウクレレやアコースティックギターなどの弦楽器（アコースティック楽器）からなり、表板２０、側板２２、及び裏板２４によって中空状に形成されたボディ（共鳴胴）１２と、ボディ１２に連結されたネック１４とを備えて構成される。ネック１４の先端には、弦１８の先端側（始端）を巻き付けて弦１８の張力を調節可能なペグ（糸巻）２６が複数個取り付けられたヘッド１６が設けられている。ボディ１２を構成する表板２０は共鳴板として機能するものである。表板２０には、弦１８の後端を固定するためのブリッジ２８が取り付けられており、弦１８の後端はブリッジ２８に開けられた穴もしくは溝（不図示）に固定されている。
【００２０】
ネック１４には、金属製のフレット３０が特定の間隔で埋め込まれた指板３２が取り付けられている。指板３２の先端には、複数の弦１８を所定の間隔に揃え、かつ、フレット３０の上面より僅かに弦１８を浮かせて支持するための溝が設けられたナット（上駒）３４が固定されている。ブリッジ２８には、弦１８の後端（終端）近くで、弦１８をフレット３０の上面より僅かに浮かせて支持するためのサドル（下駒）３５が固定されている。なお、楽器の種類によってはフレット３０が存在しないものもある。
【００２１】
弦１８は、ナット３４とサドル３５の間、もしくは、指板３２上のフレット３０とサドル３５の間で振動する。また、指板３２上の所定の場所で弦１８を押さえることで、フレット３０とサドル３５の間の弦長が調節され、所定の音高（ピッチ）を得ることができる。弦１８に振動を付与する態様としては、弦１８の押さえた指とサドル３５間の所定の位置で指を弾く態様や、弓などで擦ることで振動のきっかけを与える態様がある。
【００２２】
表板２０のブリッジ２８の前方における各弦１８の下方には、ボディ１２内部で共鳴した音を外部に導くためのサウンドホール（響穴）３６が設けられている。表板２０と裏板２４のボディ１２内部側の面には、それぞれ補強のためのブレイス（力木、響木）３８Ａ、３８Ｂが取り付けられている。なお、ブレイスの形状や配置については楽器の種類によって様々である。
【００２３】
以上の構成において、弦楽器１０の演奏を行うべく弦１８に振動を与えると、弦１８の振動がサドル３５、ブリッジ２８を介して表板２０に伝達され、それによってボディ１２の内部空間において共鳴が発生し、サウンドホール３６から楽音を発する。
【００２４】
本実施形態の弦楽器１０は、ボディ１２の内部で共鳴した音を集音するためにマイクユニット４０を備えている。マイクユニット４０は、ボディ１２の内部において、サウンドホール３６から離れた位置となるボディ１２のエンド部１２ａ（ネック１４側とは反対側の端部）に着脱自在に取り付けられる。
【００２５】
図３は、マイクユニット４０の構成を示した斜視図である。図４は、図３に示したマイクユニット４０の分解斜視図である。
【００２６】
図３及び図４に示すように、マイクユニット４０の先端にはボディ取付用のボルト５０が設けられている。ボディ１２に対してマイクユニット４０を取り付ける場合には、ボルト５０の先端側から位置決め用ナット５２を螺合した後、ボディ１２の内側からエンド部１２ａに形成された貫通孔（ボルト挿通孔）５４にボルト５０を挿通する。そして、ボルト５０の先端側から平座金５６やバネ座金５８を介して固定ナット６０を螺合し位置決め用ナット５２に対して締め付けることにより、ボディ１２に対してマイクユニット４０が着脱自在に取り付けられる。
【００２７】
なお、本実施形態においては、ボディ１２に対してマイクユニット４０が着脱自在に取り付けられる構成を一例として示したが、これらを機械的に結合できるものであれば特に限定されず、例えば、ボルトやナットを利用せずに摩擦を利用して固定する構成としてもよいし、接着剤を利用して固定する構成としてもよい。
【００２８】
図３に示すように、マイクユニット４０は、双指向性を有するコンデンサマイク（以下、双指向性マイクという）４２と、双指向性マイク４２の出力信号を出力するコネクタ部４４とを備える。コネクタ部４４は、マイクユニット４０がボディ１２に取り付けられた状態においてボディ１２の外部に配置される。
【００２９】
図１及び図２に示すように、プリアンプユニット４６は、不図示のケーブルを介してマイクユニット４０のコネクタ部４４と電気的に接続される。これにより、双指向性マイク４２の出力信号は、コネクタ部４４を通じてプリアンプユニット４６に入力される。
【００３０】
プリアンプユニット４６は、双指向性マイク４２の出力信号を増幅して、所定の信号処理を施した信号を出力する。プリアンプユニット４６の出力信号は、外部音響拡声装置４８に入力される。外部音響拡声装置４８は、入力された信号を増幅して音波に変換して出力する。
【００３１】
図３に示すように、双指向性マイク４２は、樹脂製のマイクホルダ６４に保持されている。双指向性マイク４２は、音波によって振動するダイアフラム（振動板）６２（図３において破線で図示）を備えており、音波を電気信号に変換して出力する。
【００３２】
図５は、双指向性マイク４２の指向特性を示した図である。図５に示すように、双指向性マイク４２は、略８の字状の指向特性を有している。すなわち、ダイアフラム６２（図３参照）に垂直な方向を指向軸（ダイアフラム中心軸）Ｌとし、指向軸Ｌに沿った前後方向（ダイアフラム６２の正面及び背面方向）の感度が最大となり、指向軸Ｌに垂直な方向（ダイアフラム６２に平行な方向）の感度が最小（理論的にはゼロ）となる指向特性を有している。
【００３３】
本実施形態では、サウンドホール３６の開口する面（すなわち、ボディ１２の表板２０）に対して平行かつサウンドホール３６が形成される方向（双指向性マイク４２とサウンドホール３６の中心を結ぶ方向；図５において弦楽器１０の長手軸Ｘに沿った方向）に対して垂直な方向に配置される。換言すれば、ダイアフラム６２を含む平面がサウンドホール３６に対して垂直に交差するように配置される。このような構成によれば、ハウリングの原因となるサウンドホール３６からボディ１２内に入り込む外部音に対する感度が低くなるので、ハウリングを効果的に抑えることが可能となる。
【００３４】
なお、弦楽器１０を上面から見た場合、マイクユニット４０の長手軸方向にサウンドホール３６の中心が存在し、双指向性マイク４２の指向軸Ｌはその長手軸方向に対して垂直な方向となるように、マイクユニット４０の取付角度（マイクユニット４０の長手軸周りの回転角度）が調整されている。双指向性マイク４２の取付角度は、固定ナット６０を緩めることによって簡単に調整することができる。
【００３５】
図６は、プリアンプユニット４６の構成を示すブロック図である。図６に示すように、プリアンプユニット４６は、プリアンプ７０、周波数特性補正回路７２、及びハウリング抑制回路７４を備え、双指向性マイク４２の出力信号をプリアンプ７０で増幅して、周波数特性補正回路７２及びハウリング抑制回路７４によって所定の信号処理を施した信号を外部音響拡声装置４８に出力する。
【００３６】
周波数特性補正回路７２は、プリアンプ７０を介して入力された双指向性マイク４２の出力信号の周波数特性を補正する。
【００３７】
図７は、双指向性マイク４２の出力信号の周波数特性を示したグラフである。図７に示すように、双指向性マイク４２の出力信号は、周波数が高くなるにつれて振幅ゲインが大きくなる周波数特性を有する。このため、プリアンプユニット４６において双指向性マイク４２の出力信号をそのまま増幅して外部音響拡声装置４８に出力すると、高周波帯域が強調された音色となり楽器の本来持つ音色を損なう要因となる。
【００３８】
そこで本実施形態では、双指向性マイク４２の出力信号の周波数特性を補正する周波数特性補正回路７２がプリアンプ７０の後段に設けられている。周波数特性補正回路７２は、例えば図８に示す周波数特性を有する傾斜フィルタを備えている。この傾斜フィルタは、周波数が高くなるにつれて振幅ゲインが徐々に小さくなる周波数特性を有している。すなわち、周波数特性補正回路７２は、双指向性マイク４２の周波数特性とは略逆の周波数特性を有する傾斜フィルタを有する傾斜フィルタを備えており、この傾斜フィルタを介した信号を出力することにより、双指向性マイク４２の出力信号の周波数特性を平坦化する。周波数特性補正回路７２から出力された信号はハウリング抑制回路７４に入力される。
【００３９】
このように本実施形態では、使用するマイクの周波数特性に合わせて、そのマイクとは逆特性の傾斜フィルタを用いることで、マイクの周波数特性を平坦化している。
【００４０】
ハウリング抑制回路７４は、入力された信号に含まれるハウリング周波数を検出し、検出されたハウリング周波数を含む周波数成分を抑制した信号を出力する。
【００４１】
本実施形態では、双指向性マイク４２の指向軸Ｌはサウンドホール３６が配置される方向（図５において弦楽器１０の長手軸Ｘに沿った方向）に対して垂直な方向に配置されるので、サウンドホール３６から双指向性マイク４２に到達する音に対する感度を低くすることができる。しかし、弦楽器１０の表板２０などを透過、もしくはサウンドホール３６から双指向性マイク４２に直接到達する経路をとらずに、ボディ１２の内部で反射を繰り返し双指向性マイク４２に到達する音も存在する。このような音のレベルが高ければ、ハウリングを防止することができない場合が生ずる。また、楽器の種類や会場などの影響で外部環境が変化した場合にもハウリングが発生する場合も考えられる。
【００４２】
そこで本実施形態では、これらを要因としたハウリングをより確実に防止するために、周波数特性補正回路７２の後段にハウリング抑制回路７４が設けられている。
【００４３】
ハウリング抑制回路７４は、ノッチフィルタ７６、ノッチ制御部７８、及びハウリング検出部８０を備えている。
【００４４】
ノッチフィルタ７６は、例えば図９に示される周波数特性を有するフィルタであり、ある特定の周波数（ノッチ周波数）を中心周波数とする周波数成分を減衰させる。ノッチフィルタ７６はノッチ周波数を可変できるように構成されている。ノッチ周波数は、後述するノッチ制御部７８の制御に従って設定される。
【００４５】
ハウリング検出部８０は、入力信号（周波数特性補正回路７２の出力信号）を取り込み、ハウリングが発生している周波数（ハウリング周波数）検出する。具体的には、入力信号に対して一定時間毎にＦＦＴ解析を行い、そのピークレベルがある一定以上の場合、そのピーク周波数をハウリング周波数として検出して出力する。ハウリング検出部８０から出力されたハウリング周波数はノッチ制御部７８に入力される。
【００４６】
ノッチ制御部７８は、ハウリング検出部８０で検出されたハウリング周波数に基づき、ノッチフィルタ７６のノッチ周波数を制御する。具体的には、ノッチフィルタ７６のノッチ周波数がハウリング検出部８０で検出されたハウリング周波数となるように制御を行う。
【００４７】
なお、ノッチフィルタ７６の減衰量やノッチ幅（ノッチ周波数を中心とした減衰させる近傍の周波数幅）も可変できるように構成されており、これらもノッチ制御部７８の制御に従って設定される。例えば、ノッチフィルタ７６の減衰量やノッチ幅はユーザの操作に応じてノッチ制御部７８が変更するようにしてもよい。
【００４８】
また、ノッチフィルタ７６は、図９に示すような周波数特性となるフィルタ機能を、有効とする有効状態（ＯＮ状態）と、無効とする無効状態（ＯＦＦ状態）とに切り替え可能に構成されていてもよい。ノッチフィルタ７６を有効状態とした場合は、入力信号からノッチ周波数を中心として周波数成分を除去して出力する。一方、ノッチフィルタ７６を無効状態とした場合は、入力信号をそのまま出力する。ノッチフィルタ７６の切り替えは、例えばユーザの操作に応じてノッチ制御部７８が変更するようにしてもよい。また、ハウリング検出部８０でハウリング周波数が検出されてから一定時間経過するまではノッチフィルタ７６を有効状態とし、一定時間経過後は無効状態としてもよい。この場合、急激に発生したハウリングを抑制しつつ、音質の劣化を抑制することが可能となる。
【００４９】
ノッチフィルタ７６から出力された信号は、プリアンプユニット４６の出力として外部音響拡声装置４８に出力される。外部音響拡声装置４８は、プリアンプユニット４６（ノッチフィルタ７６）から出力された信号を音波に変換して出力する。これにより、双指向性マイク４２で集音された弦楽器１０の楽音は、外部音響拡声装置４８によって拡声される。
【００５０】
以上のとおり、本実施形態によれば、双指向性マイク４２の指向軸Ｌは、サウンドホール３６の開口する面に対して平行かつサウンドホール３６が形成される方向に対して垂直な方向に配置される。すなわち、双指向性マイク４２の感度が最小となる方向がサウンドホール３６を向くようになるので、サウンドホール３６からボディ１２内に侵入する音に対する感度が低くなり、ハウリングを効果的に抑えることが可能となる。また、サウンドホール３６が形成される方向以外については感度が高いので、ボディ１２の内部の広い範囲の音響をバランス良く捉えることが可能となる。これにより、ハウリングの原因となるサウンドホール３６からボディ１２内に入り込む外部音についてはキャンセルされるので、ハウリングを起こすことなくボディ１２の内部で共鳴する楽音を集音することが可能となり、弦楽器１０が発する本来の楽音を忠実に再現することができる。
【００５１】
なお、本実施形態では、双指向性マイク４２の指向軸Ｌは、サウンドホール３６の開口する面に対して平行かつサウンドホール３６が形成される方向に対して垂直な方向に配置されていることが好ましいが、本発明はこの構成に限らず、同様の効果が得られるのであれば、指向軸Ｌが上記方向に沿って配置されていればよく多少ずれていてもよい。
【００５２】
また、本実施形態によれば、プリアンプユニット４６に周波数特性補正回路７２を備えたので、双指向性マイク４２の出力信号の周波数特性を平坦化することができる。これにより、楽器の本来持つ音色を損なうことなく忠実に再現することができるという効果をより一層顕著なものとすることができる。
【００５３】
また、本実施形態によれば、プリアンプユニット４６にハウリング抑制回路７４を備えたので、ボディ１２の内部で反射した外部音によってハウリングが発生する場合でも、ハウリング抑制回路７４でハウリングが抑制されるので、ハウリングを確実かつ安定的に防止することができる。特に本実施形態では、ハウリングが起こっている周波数が変化してもその変化に追従しながらハウリングを抑えることができるので、楽器の種類や会場などの影響で外部環境が変化した場合でも効果的にハウリングを抑えることが可能となる。
【００５４】
また、本実施形態では、ノッチフィルタ７６は、そのフィルタ機能を有効状態と無効状態とに切り替え可能に構成されていることが好ましい。ノッチフィルタ７６を不必要に使用すると、ノッチ周波数（すなわち、ハウリング周波数）を中心とした周波数帯域が弱められた音色となるため本来の楽器の音色とかけ離れてしまう場合がある。これに対し、上記構成によれば、ユーザの好みや使用状況に応じてノッチフィルタ７６のフィルタ機能を有効状態としたり無効状態としたりすることができる。
【００５５】
また、本実施形態では、マイクユニット４０は、ボディ１２のエンド部１２ａ（ネック１４側とは反対側の端部）に取り付けた構成を示したが、これに限らず、例えば、ボディ１２内部のヒール部１２ｂ（ネック１４側の端部）に取り付けてもよい。エンド部１２ａやヒール部１２ｂは、弦楽器１０のボディ１２の構造上もっとも強度の高い場所であり、マイクユニット４０を安定的に固定することができる。また、サウンドホール３６とマイクユニット４０との間の距離を確保できるので、マイクユニット４０によるボディ１２内部の共鳴音の集音効率を向上させることができる。
【００５６】
また、本実施形態では、双指向性マイク４２の出力信号は、双指向性マイク４２と一体的に構成されたコネクタ部４４を通して弦楽器１０の外部に導出されるので、ボディ１２の内部を通る配線（信号線）が不要となり、ボディ１２の内部における不要な振動による雑音を効果的に抑制することが可能となる。
【００５７】
以上、本発明の実施形態について説明したが、本発明は、以上の例には限定されず、本発明の要旨を逸脱しない範囲において、各種の改良や変形を行ってもよいのはもちろんである。以下、いくつかの変形例について説明する。
【００５８】
［変形例１］
上述した実施形態では、プリアンプユニット４６は、マイクユニット４０とは別に構成され、ボディ１２の外部に配置される構成としたが、マイクユニット４０にプリアンプユニット４６を内蔵した構成としてもよい。この場合、プリアンプユニット４６を内蔵するマイクユニット４０がボディ１２の内部に配置される。
【００５９】
また、プリアンプユニット４６がマイクユニット４０とは別に構成される場合、プリアンプユニット４６がボディ１２の内部に配置されてもよいことはいうまでもない。
【００６０】
［変形例２］
上述した実施形態では、ボディ１２の表板２０にサウンドホール３６が設けられた弦楽器１０に対する適用例について説明したが、弦楽器の種類によっては、例えば図１０に示すように、サウンドホール３６が、ボディ１２の表板２０ではなく側板２２に設けられているものもある。このような構成を有する弦楽器１０において、図１１に示すように、双指向性マイク４２の指向軸Ｌが、サウンドホール３６の開口する面（すなわち、ボディ１２の側板２２）に対して平行かつサウンドホール３６が形成される方向（双指向性マイク４２とサウンドホール３６の中心を結ぶ方向）に対して垂直な方向に配置されるようにする。換言すれば、双指向性マイク４２のダイアフラム（図１１において不図示）はボディ１２の表板２０に平行に配置され、ダイアフラムを含む平面がサウンドホール３６に対して垂直に交差するように配置される。これによって、サウンドホール３６からボディ１２内に侵入する音に対する感度が低くなり、ハウリングを効果的に抑えることが可能となる。したがって、上述した実施形態と同様の効果を得ることができる。
【００６１】
［変形例３］
上述した実施形態では、ウクレレやアコースティックギターなどのように共鳴胴にサウンドホールが１つ設けられる弦楽器に本発明が適用される場合を説明したが、共鳴胴に複数のサウンドホールが設けられる弦楽器、例えばバイオリンやチェロなどにも適用することができる。
【符号の説明】
【００６２】
１０…弦楽器、１２…ボディ、１４…ネック、１６…ヘッド、１８…弦、２０…表板、３６…サウンドホール、４０…マイクユニット、４２…双指向性マイク、４６…プリアンプユニット、４８…外部音響拡声装置、６２…ダイアフラム、７０…プリアンプ、７２…周波数特性補正回路、７４…ハウリング抑制回路、７６…ノッチフィルタ、７８…ノッチ制御部、８０…ハウリング検出部
【図１】
2015215458.tif 000003
【図２】
2015215458.tif 000004
【図３】
2015215458.tif 000005
【図４】
2015215458.tif 000006
【図５】
2015215458.tif 000007
【図６】
2015215458.tif 000008
【図７】
2015215458.tif 000009
【図８】
2015215458.tif 000010
【図９】
2015215458.tif 000011
【図１０】
2015215458.tif 000012
【図１１】
2015215458.tif 000013
【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
中空状に形成されたボディと、前記ボディに形成されたサウンドホールと、前記ボディに一端が取り付けられたネックと、前記ネックの他端に取り付けられたヘッドと、前記ヘッド及び前記ボディの間に張架された弦とを備える弦楽器であって、
前記ボディの内部であって前記ネック側とは反対側のエンド部または前記ネック側のヒール部に配設され、前記ボディの内部で共鳴する楽音を集音する双指向性マイクを備え、
前記双指向性マイクは、前記サウンドホールが開口する面に対して平行かつ前記サウンドホールが形成される方向に対して垂直な方向に沿った指向軸を有する弦楽器。
【請求項２】
前記双指向性マイクの周波数特性とは略逆の周波数特性を有する傾斜フィルタを有し、前記傾斜フィルタを介して前記双指向性マイクから信号を出力することにより、前記双指向性マイクから出力される信号の周波数特性を平坦化する周波数補正手段を更に備える請求項１に記載の弦楽器。
【請求項３】
入力信号に対してノッチ周波数を中心とする周波数成分を減衰させるノッチフィルタと、前記入力信号に含まれるハウリング周波数を検出するハウリング検出手段と、前記ハウリング検出手段で検出されたハウリング周波数を前記ノッチフィルタのノッチ周波数に設定する制御手段とを含むハウリング抑制手段を更に備える請求項１又は２に記載の弦楽器。
【請求項４】
前記ノッチフィルタは、フィルタ機能を有効とする有効状態と無効とする無効状態とに切り替え可能である、
請求項１〜３のいずれか１項に記載の弦楽器。
【請求項５】
前記制御手段は、前記ハウリング検出手段で前記ハウリング周波数が検出されてから一定時間が経過するまでは前記ノッチフィルタを前記有効状態とし、前記一定時間が経過した後は前記ノッチフィルタを無効状態とする、
請求項４に記載の弦楽器。
【手続補正３】
【補正対象書類名】明細書
【補正対象項目名】０００１
【補正方法】変更
【補正の内容】
【０００１】
本発明は、弦楽器が発する本来の楽音を忠実に再現することができる弦楽器に関するものである。 
【手続補正４】
【補正対象書類名】明細書
【補正対象項目名】０００７
【補正方法】変更
【補正の内容】
【０００７】
本発明は、このような事情に鑑みてなされたもので、弦楽器が発する本来の楽音を忠実に再現することができる弦楽器を提供することを目的とする。
【手続補正５】
【補正対象書類名】明細書
【補正対象項目名】０００８
【補正方法】変更
【補正の内容】
【０００８】
上記目的を達成するために、本発明の第１態様に係る弦楽器は、中空状に形成されたボディと、ボディに形成されたサウンドホールと、ボディに一端が取り付けられたネックと、ネックの他端に取り付けられたヘッドと、ヘッド及びボディの間に張架された弦とを備える弦楽器であって、ボディの内部であってネック側とは反対側のエンド部またはネック側のヒール部に配設され、ボディの内部で共鳴する楽音を集音する双指向性マイクを備え、双指向性マイクは、サウンドホールが開口する面に対して平行かつサウンドホールが形成される方向に対して垂直な方向に沿った指向軸を有する。 
【手続補正６】
【補正対象書類名】明細書
【補正対象項目名】０００９
【補正方法】変更
【補正の内容】
【０００９】
本発明の第２態様に係る弦楽器は、第１態様において、双指向性マイクの周波数特性とは略逆の周波数特性を有する傾斜フィルタを有し、傾斜フィルタを介して双指向性マイクから信号を出力することにより、双指向性マイクから出力される信号の周波数特性を平坦化する周波数補正手段を更に備える。 
【手続補正７】
【補正対象書類名】明細書
【補正対象項目名】００１０
【補正方法】変更
【補正の内容】
【００１０】
本発明の第３態様に係る弦楽器は、第１態様又は第２態様において、入力信号に対してノッチ周波数を中心とする周波数成分を減衰させるノッチフィルタと、入力信号に含まれるハウリング周波数を検出するハウリング検出手段と、ハウリング検出手段で検出されたハウリング周波数をノッチフィルタのノッチ周波数に設定する制御手段とを含むハウリング抑制手段を更に備える。
【手続補正８】
【補正対象書類名】明細書
【補正対象項目名】００１１
【補正方法】変更
【補正の内容】
【００１１】
本発明の第４態様に係る弦楽器は、第１態様〜第３態様のいずれか１つの態様において、ノッチフィルタは、フィルタ機能を有効とする有効状態と無効とする無効状態とに切り替え可能である。
【手続補正９】
【補正対象書類名】明細書
【補正対象項目名】００１２
【補正方法】変更
【補正の内容】
【００１２】
本発明の第５態様に係る弦楽器は、制御手段は、ハウリング検出手段でハウリング周波数が検出されてから一定時間が経過するまではノッチフィルタを有効状態とし、一定時間が経過した後はノッチフィルタを無効状態とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００３８
【補正方法】変更
【補正の内容】
【００３８】
そこで本実施形態では、双指向性マイク４２の出力信号の周波数特性を補正する周波数特性補正回路７２がプリアンプ７０の後段に設けられている。周波数特性補正回路７２は、例えば図８に示す周波数特性を有する傾斜フィルタを備えている。この傾斜フィルタは、周波数が高くなるにつれて振幅ゲインが徐々に小さくなる周波数特性を有している。すなわち、周波数特性補正回路７２は、双指向性マイク４２の周波数特性とは略逆の周波数特性を有する傾斜フィルタを備えており、この傾斜フィルタを介した信号を出力することにより、双指向性マイク４２の出力信号の周波数特性を平坦化する。周波数特性補正回路７２から出力された信号はハウリング抑制回路７４に入力される。
【手続補正１３】
【補正対象書類名】明細書
【補正対象項目名】００６１
【補正方法】変更
【補正の内容】
【００６１】
[変形例３]
上述した実施形態では、ウクレレやアコースティックギターなどのように共鳴胴にサウンドホールが１つ設けられる弦楽器に本発明が適用される場合を説明したが、共鳴胴に複数のサウンドホールが設けられる弦楽器、例えばバイオリンやチェロなどにも適用することができる。
（付記）
上記に詳述した実施形態についての記載から把握されるとおり、本明細書では以下に示す発明を含む多様な技術思想の開示を含んでいる。
（付記１）中空状に形成されたボディと、前記ボディに形成されたサウンドホールと、前記ボディに一端が取り付けられたネックと、前記ネックの他端に取り付けられたヘッドと、前記ヘッド及び前記ボディの間に張架された弦とを備える弦楽器に用いられるピックアップマイクシステムであって、前記ボディの内部に配設され、前記ボディの内部で共鳴する楽音を集音する双指向性マイクを備え、前記双指向性マイクは、前記サウンドホールが開口する面に対して平行かつ前記サウンドホールが形成される方向に対して垂直な方向に沿った指向軸を有するピックアップマイクシステム。
（付記２）前記双指向性マイクから出力される信号の周波数特性を平坦化する周波数補正手段を更に備える付記１に記載のピックアップマイクシステム。
（付記３）入力信号に対してノッチ周波数を中心とする周波数成分を減衰させるノッチフィルタと、前記入力信号に含まれるハウリング周波数を検出するハウリング検出手段と、前記ハウリング検出手段で検出されたハウリング周波数を前記ノッチフィルタのノッチ周波数に設定する制御手段とを含むハウリング抑制手段を更に備える付記１又は２に記載のピックアップマイクシステム。
（付記４）中空状に形成されたボディと、前記ボディに形成されたサウンドホールと、前記ボディに一端が取り付けられたネックと、前記ネックの他端に取り付けられたヘッドと、前記ヘッド及び前記ボディの間に張架された弦とを備える弦楽器に用いられるピックアップマイクシステムであって、前記ボディの内部に配設され、前記ボディの内部で共鳴する楽音を集音する双指向性マイクを備え、前記双指向性マイクは、前記サウンドホールが開口する面に対して平行かつ前記サウンドホールが形成される方向に対して垂直な方向に沿った指向軸を有するピックアップマイクシステム用のプリアンプユニットであって、前記双指向性マイクから出力される信号の周波数特性を平坦化する周波数補正手段を備えるプリアンプユニット。
（付記５）中空状に形成されたボディと、前記ボディに形成されたサウンドホールと、前記ボディに一端が取り付けられたネックと、前記ネックの他端に取り付けられたヘッドと、前記ヘッド及び前記ボディの間に張架された弦とを備える弦楽器に用いられるピックアップマイクシステムであって、前記ボディの内部に配設され、前記ボディの内部で共鳴する楽音を集音する双指向性マイクを備え、前記双指向性マイクは、前記サウンドホールが開口する面に対して平行かつ前記サウンドホールが形成される方向に対して垂直な方向に沿った指向軸を有するピックアップマイクシステム用のプリアンプユニットであって、入力信号に対してノッチ周波数を中心とする周波数成分を減衰させるノッチフィルタと、前記入力信号に含まれるハウリング周波数を検出するハウリング検出手段と、前記ハウリング検出手段で検出されたハウリング周波数を前記ノッチフィルタのノッチ周波数に設定する制御手段とを含むハウリング抑制手段を備えるプリアンプユニット。
（付記６）中空状に形成されたボディと、前記ボディに形成されたサウンドホールと、前記ボディに一端が取り付けられたネックと、前記ネックの他端に取り付けられたヘッドと、前記ヘッド及び前記ボディの間に張架された弦とを備える弦楽器に用いられるピックアップマイクシステムであって、前記ボディの内部に配設され、前記ボディの内部で共鳴する楽音を集音する双指向性マイクを備え、前記双指向性マイクは、前記サウンドホールが開口する面に対して平行かつ前記サウンドホールが形成される方向に対して垂直な方向に沿った指向軸を有するピックアップマイクシステム用のプリアンプユニットであって、前記双指向性マイクから出力される信号の周波数特性を平坦化する周波数補正手段と、入力信号に対してノッチ周波数を中心とする周波数成分を減衰させるノッチフィルタと、前記入力信号に含まれるハウリング周波数を検出するハウリング検出手段と、前記ハウリング検出手段で検出されたハウリング周波数を前記ノッチフィルタのノッチ周波数に設定する制御手段とを含むハウリング抑制手段と、を備えるプリアンプユニット。
（付記７）中空状に形成されたボディと、前記ボディに形成されたサウンドホールと、前記ボディに一端が取り付けられたネックと、前記ネックの他端に取り付けられたヘッドと、前記ヘッド及び前記ボディの間に張架された弦とを備える弦楽器と、付記１〜３のいずれか１項に記載のピックアップマイクシステムと、を備えた弦楽器。